【事件の表示】
　特願２００７−１４７８９６号「多元ヒートポンプ式蒸気・温水発生装置」拒絶査定不服審判事件〔平成２０年１２月１１日出願公開、特開２００８−２９８４０６号〕について、次のとおり審決する。
【結　論】
　本件審判の請求は、成り立たない。
【理　由】
第１．手続の経緯
　本願は、平成１９年６月４日の出願であって、平成２１年１２月１日付けで拒絶査定がされ、これに対し、平成２２年３月１５日に拒絶査定不服審判が請求されるとともに、その審判の請求と同時に手続補正がなされたものである。
　
第２．平成２２年３月１５日付けの手続補正について
　本願の請求項１〜３に係る発明は、平成２２年３月１５日付けの手続補正（以下「本件補正」という。）で補正された明細書、特許請求の範囲及び図面の記載からみて、その特許請求の範囲の請求項１〜３に記載された事項により特定されるものである。
１．補正後の本願発明
　本件補正により、特許請求の範囲の請求項１は、次のように補正された。
「低元側圧縮機の吐出側に一端が接続された冷媒管の他端が、カスケードコンデンサの１次側、膨張弁、排熱回収熱交換器を介して低元側圧縮機の吸入側に接続された低元側冷媒回路と、高元側圧縮機の吐出側に一端が接続された冷媒管の他端が、熱交換器、膨張弁、前記カスケードコンデンサの２次側を介して高元側圧縮機の吸入側に接続された高元側冷媒回路とを備え、前記高元側冷媒回路における熱交換器において高元側冷媒回路を循環する冷媒の熱によって外部から供給される水を加熱することにより、蒸気、温水のいずれか一方、または両方を同時に生成し、前記高元側冷媒回路における熱交換器を、冷媒回路上流側の第一熱交換器と同下流側の第二熱交換器で構成し、第一熱交換器において蒸気を生成し、第二熱交換器において温水を生成し、前記排熱回収熱交換器は、冷却塔を備える外部の冷凍装置においてこれら冷凍装置と冷却塔との間を循環する冷却水回路から、上記冷凍装置における凝縮熱により加熱された冷却水を導入する排熱導入管と、排熱を回収した後の冷却水を前記冷却水回路に送る戻し管とを備え、前記排熱導入管と戻し管は、それぞれ前記冷却水回路との接続部に連動する第１、第２の切替手段を備え、これらの切替手段は、外部の冷凍装置、低元冷媒回路、高元冷媒回路の運転状況に応じて、外部の冷凍装置からの冷却水を前記冷却塔と排熱回収熱交換器のいずれか一方または両方に流通せしめるよう制御されるように構成し、かつ前記低元側冷媒回路は、冷媒にフロン冷媒または自然冷媒を使用し、かつ、前記高元側冷媒回路は、冷媒に臨界温度が１３０℃以上のものを使用してなる多元ヒートポンプ式蒸気・温水発生装置。」
　
２．補正の目的
　上記補正は、本件補正前の請求項１、２を削除し、本件補正前の請求項３で請求項１を引用した場合を新たな請求項１とし、本件補正前の請求項３で請求項２を引用した場合を新たな請求項２とするもので、実質的に請求項の削除に相当する。
　したがって、本件補正は、特許法第１７条の２第５項第１号の請求項の削除を目的とするものに該当する。
　
第３．本願発明について
　請求項１に係る発明（以下「本願発明」という。）は、特許請求の範囲の請求項１（第２　１．参照。）に記載された事項により特定されるものである。
　 
（２）引用例
　原査定の拒絶の理由に引用された国際公開第２００７／４６３３２号（以下「引用例１」という。）には、図面と共に次の事項が記載されている。
ア．「冷却負荷からの被冷却流体をマイナス数十℃という極低温に冷却する冷却手段として、
高温側（高元側）と低温側（低元側）
　
イ．「本発明は、かかる従来技術の課題に鑑み、オゾン破壊係数がゼロで、地球温暖化係数が１であるため、環境への負荷小さく、毒性、可燃性がなく安全で安価であるというＣＯ２の長所を生かし、また温水及び給湯供給において非常に効率が良いという長所をもつＣＯ２冷媒を用いた
ヒートポンプサイクル
　
ウ．「なお第２の冷凍サイクルでアンモニア又はＨＣ等の冷媒を用いた冷凍サイクルとすれば、さらに効率が向上し、一方ＣＯ２を冷媒として用いた冷凍サイクルとすると、
自然冷媒としてのＣＯ
２
　
エ．「次に本発明の第３実施例を図５に基づいて説明する。図５において、第１冷凍サイクル２１はＣＯ２を冷媒として用い、圧縮機２３、凝縮器２４、膨張弁２５及びカスケードコンデンサ２６等を有する冷媒流路２２で構成される。まず圧縮機２３で断熱圧縮された冷媒は、超臨界域に達し、その後凝縮器２４で水ｗによって冷却され、膨張弁２５を経て断熱膨張され、カスケードコンデンサ２６の蒸発部２６ａに入る。
　カスケードコンデンサ２６では、凝縮部２６ｂを通る第２冷凍サイクルの冷媒から蒸発潜熱を奪い、蒸発して圧縮機２３に戻る。凝縮器２４では給湯ライン２７から供給された水ｗが加熱され、約８０℃の高温水ｈとなって図示しない高熱源負荷に給湯される。
　第２冷凍サイクル３１は、アンモニア又はＨＣを冷媒として用い、冷媒流路３２に、圧縮機３３、カスケードコンデンサ２６の凝縮部２６ｂ、膨張弁３４及びカスケードコンデンサ３５の蒸発部３５ａ等を介設して構成される。
　第２冷凍サイクル３１では、圧縮機３３で圧縮された冷媒は、カスケードコンデンサ２６の凝縮部２６ｂで第１冷凍サイクルのＣＯ２冷媒に蒸発潜熱を奪われて凝縮され、その後膨張弁３４を経て断熱膨張され、カスケードコンデンサ３５の蒸発部３５ａに入る。
　カスケードコンデンサ３５で第３冷凍サイクルの冷媒から蒸発潜熱を奪って蒸発し、再び圧縮機３３に入る。なお第２冷凍サイクル３１では、常にＣＯ２の三重点以上の圧力及び温度レベルに維持される。
　第３冷凍サイクル４１では、ＣＯ２を冷媒として用い、ＣＯ２冷媒流路４２に、圧縮機４３、カスケードコンデンサ３５の凝縮部３５ｂ、膨張弁４４及び蒸発器４５が介設されて構成されている。第３冷凍サイクル４１では、膨張弁４４を経た後の冷媒流路は、図示のとおりＣＯ２の三重点以下の圧力及び温度レベルに維持されており、従って膨張弁４４を経た後では、ＣＯ２冷媒は固気二相になり、蒸発器４５で固相のＣＯ２冷媒は冷却負荷ライン４６から蒸発器４５に供給される被冷却流体ｒから昇華潜熱を奪って昇華する。これによって被冷却流体ｒを極低温、即ちＣＯ２の三重点以下の温度である−５６℃〜−７８℃に冷却することが可能となる。」（段落［００３７］〜［００３９］）
　
オ．図５には、蒸発器４５が、外部の冷却負荷から加熱された被冷却流体ｒを導入する冷却負荷ライン４６の導入管と、熱を奪い冷却した被冷却流体ｒを冷却負荷に送る冷却負荷ライン４６の戻し管を備える点が記載されている。
 　
　これら記載事項及び図示内容を総合し、本願発明の記載ぶりに則って整理すると、引用例１には、次の発明（以下「引用発明１」という。）が記載されている。
「低元側圧縮機４３の吐出側に一端が接続された冷媒流路４２の他端が、カスケードコンデンサ３５の凝縮部３５ｂ、膨張弁４４、蒸発器４５を介して低元側圧縮機４３の吸入側に接続された低元側第３冷凍サイクル４１と、圧縮機３３の吐出側に一端が接続された冷媒流路３２の他端が、カスケードコンデンサ２６の凝縮部２６ｂ、膨張弁３４、前記カスケードコンデンサ３５の蒸発部３５ａを介して圧縮機３３の吸入側に接続された第２冷凍サイクル３１と、高元側圧縮機２３の吐出側に一端が接続された冷媒流路２２の他端が、凝縮器２４、膨張弁２５、カスケードコンデンサ２６の蒸発部２６ａを介して高元側圧縮機２３の吸入側に接続された高元側第１冷凍サイクル２１とを備え、前記高元側冷凍サイクルにおける凝縮器２４において高元側第１冷凍サイクル２１を循環する冷媒の熱によって外部から供給される水を加熱することにより、高温水ｈを生成し、前記蒸発器４５は、外部の冷却負荷から加熱された被冷却流体ｒを導入する冷却負荷ライン４６の導入管と、熱を奪い冷却した被冷却流体ｒを冷却負荷に送る冷却負荷ライン４６の戻し管とを備え、かつ前記低元側第３冷凍サイクルは、冷媒に自然冷媒（ＣＯ２）を使用してなる多元ヒートポンプ式温水発生装置。」
　
　同じく、原査定の拒絶の理由に引用された特開２００６−１７４２７号公報（以下「引用例２」という。）には、図面と共に次の事項が記載されている。
カ．「【請求項２】
  圧縮式冷媒回路を備え、同冷媒回路における凝縮排熱を冷却塔にて大気に放出するコンデンシングユニットと、圧縮手段、凝縮手段、膨張弁、蒸発器をこの順に備え、外部から前記凝縮手段に供給される水を同凝縮手段における冷媒の凝縮熱により加熱して蒸気・温水を供給するヒートポンプ式蒸気・温水発生装置を備え、前記コンデンシングユニットにおける凝縮器からの水を前記冷却塔に送る冷却水送出管の途中に冷却水送出枝管の一端を接続するとともに、冷却塔から凝縮器へ冷却水を供給する冷却水供給管の途中に冷却水供給枝管の一端を接続し、前記冷却水送出枝管の他端と冷却水供給枝管の他端を、それぞれ前記蒸気・温水発生装置における蒸発器の水入口と同出口に接続し、かつ前記冷却水送出管と同枝管との分岐部および前記冷却水供給管と同枝管の分岐部に、コンデンシングユニットと冷却塔との間またはコンデンシングユニットと蒸気・温水発生装置との間あるいはコンデンシングユニットと冷却塔および蒸気・温水発生装置の両方との間に冷却水を切替えて流通させる切替機構を備え、コンデンシングユニットからの凝縮排熱を冷却塔から大気への放出と、蒸気・温水発生装置による回収の一方または両方に切替えてコンデンシングユニットにおける凝縮温度を低く維持することができるように構成してなる冷却システム。
【請求項３】
  前記ヒートポンプ式蒸気・温水発生装置は、
前記凝縮手段を冷媒往管に直列に接続した第１凝縮器と第２凝縮器で構成し、前記第１凝縮器と第２凝縮器からそれぞれ蒸気と温水が同時に供給されるように構成
　
キ．「本発明は、既存の
コンデンシングユニットから凝縮排熱を回収してこの排熱を熱源として蒸気と温水を同時に供給することができ、しかも蒸気のみあるいは温水のみを弁の切り換えによって選択的に供給することもでき、
　
ク．「また、
冷却水送出枝管１５と冷却水供給枝管１６の冷却水送出管１０、冷却水供給管１３との分岐部には、コンデンシングユニットと冷却塔との間またはコンデンシングユニットと蒸気・温水発生装置との間あるいはコンデンシングユニットと冷却塔および蒸気・温水発生装置の両方との間に冷却水を切替えて流通させる切替機構２０を設けてある
　
ケ．「そして、夏季の日中のように外気の温湿度が高くて
冷却負荷が大となる場合
コンデンシングユニットの凝縮排熱によって昇温した冷却水が冷却塔１２と蒸気・温水発生装置１７の蒸発器３０の両方に供給され、
　また、
冷却負荷がさほど大ではなく、蒸気や温水を利用しない場合
コンデンシングユニットからの昇温冷却水は冷却塔１２だけに供給される
　さらに、
冷却負荷がさほど大ではなく、蒸気や温水を利用する場合
コンデンシングユニットからの昇温冷却水は蒸気・温水発生装置１７だけに供給される
　また、
凍結庫内を常温から所要の低温まで冷やし込む必要のあるコンデンシングユニットの起動時
コンデンシングユニットからの冷却水が冷却塔１２と蒸気・温水発生装置１７の両方に供給されるように切替機構が操作される
　
コ．「なお、上述した
切替機構２０の構成は
上述した４つの開閉弁に代えて例えば各分岐部に適宜の三方切替弁を設けるようにする場合もある
　
サ．「しかして前記蒸気・温水発生装置１７においては、
低段側圧縮機２１の吐出側に一端が接続された中圧冷媒管２２の他端が高段側圧縮機２３の吸入側に接続され、上記低段側と高段側の圧縮機で圧縮手段
　
前記高段側圧縮機２３の吐出側に一端が接続された冷媒往管２４の他端は凝縮手段たる第１凝縮器２５と第２凝縮器２６
　そして、前記冷媒往管２４における中間冷却器用膨張弁２７の部分には、同膨張弁を跨ぐバイパス管３２を設けてあってこのバイパス管３２に後述する第１開閉弁Ｖ１を設けてある。
　また、前記中間冷却器２８の気相に一端が接続されたガス冷媒戻し管３３の他端を前記中圧冷媒管２２の途中に接続してあって、ガス冷媒戻し管の途中に、後述する第２開閉弁Ｖ２を設けてある。」（段落【００３２】〜段落【００３５】）
　
シ．「上述のように構成した本発明の装置は、例えば
冷媒として
Ｒ２４５ｆａ
蒸気供給運転、温水供給運転、蒸気・温水供給運転に切替えられるように構成されており
　
ス．「
蒸気供給運転モード
第１凝縮器５に流入し、第１給水管３４からの水を加熱して蒸気を発生させ、発生した蒸気は蒸気・温水供給管３５により外部に供給される
　
セ．「次に、
蒸気と温水を同時に供給する蒸気・温水供給運転モード
第１凝縮器２５に流入し、第１給水管３４からの水を加熱して蒸気を発生させ、発生した蒸気は蒸気・温水供給管３５により外部に供給される
　そして第１凝縮器２５で水との熱交換により凝縮した冷媒は第２凝縮器２６に流入し、第３開閉弁Ｖ３が開かれている第２給水管３６からの水を加熱して温水を発生させてさらに低温の液冷媒となる。
  同
第２凝縮器２６で発生した温水は温水供給管３７から外部に供給される
　
ソ．「すなわち、開閉弁Ｖ１、Ｖ２、Ｖ３の開閉状態を前述した蒸気・温水供給運転モードと同様にしたまま、前記流量調節弁のＶ４の開度を制御することにより、蒸気・温水供給運転モードから
温水のみを供給する温水供給運転モード
　
タ．「しかして上記三方制御弁４３は制御回路４４からの指令に従って冷却水の供給割合を制御するものとしてあり、制御回路４４はコンデンシングユニット１における高圧側冷媒管に設けた高圧側圧力スイッチ４５および低圧側冷媒管に設けた低圧側圧力スイッチ４６と接続され、また、蒸気・温水発生装置１７における蒸気・温水供給管３５および温水供給管３７にそれぞれ設けた流量計４７、４８と接続されている。
　上述のように構成したシステムにおいては、コンデンシングユニットの高圧側または低圧側の冷媒圧力が所定の値を超えると高圧側圧力スイッチ４５または低圧側圧力スイッチから圧力警告信号が制御回路４４に送られ、制御回路はコンデンシングユニットからの冷却水を冷却塔１２と蒸気・温水発生装置１７の両方に流すよう三方制御弁４３をコントロールする。
…（中略）… 
　また、蒸気・温水発生装置１７に対する蒸気と温水の必要量が減少すると、制御回路４４は流量計からの信号により蒸気や温水の流量が低下したことを検知し、コンデンシングユニットからの冷却水を冷却塔に流し、蒸気・温水発生装置１７を停止すると冷却水の全量を冷却塔に流す。
　上述のように
三方制御弁４３による流量制御を行う構成とすることにより、コンデンシングユニット１および蒸気・温水発生装置１７のそれぞれの運転状況に応じて冷却水の制御を最も適切な状態にコントロールすることができ
　
　なお、上記ク〜ケ、タの記載によれば、引用例２には「切替機構２０は、外部の凍結庫６用のコンデンシングユニット１の冷却負荷、冷媒回路の運転状況に応じて、外部の凍結庫６用のコンデンシングユニット１からの冷却水を前記冷却塔１２と蒸発器３０のいずれか一方または両方に流通せしめるよう制御されるように構成」した点が記載されている。
　また、上記ク〜コの記載によれば、引用例２には「前記冷却水送出管１０及び冷却水送出枝管１５並びに冷却水供給枝管１６及び冷却水供給管１３は、それぞれ前記冷却水回路との分岐部に連動する第１、第２の三方切替弁からなる切替機構２０を備え」た点が記載されている。
　
　上記カ〜タの記載事項および図面の図示内容を総合し、本願発明の記載ぶりに則って整理すると、引用例２には、次の発明（以下「引用発明２」という。）が記載されている。
「低段側圧縮機の吐出側に一端が接続された中圧冷媒管２２の他端が、高段側圧縮機２３の吸入側に接続され、高段側圧縮機２３の吐出側に一端が接続された冷媒往管２４が第１凝縮器２５、第２凝縮器２６、中間冷却器用膨張弁２７、中間冷却器２８および蒸発器用膨張弁２９を介して蒸発器３０に接続されていて、さらに該蒸発器３０の出口に一端が接続され、他端が低段側圧縮機２１の吸入側に接続された冷媒復管３１とからなる冷媒回路を備え、前記高圧の冷媒往管２４における凝縮器において前記高圧の冷媒往管２４を循環する冷媒の熱によって外部から供給される水を加熱することにより、蒸気、温水のいずれか一方、または両方を同時に生成し、前記高圧の冷媒往管２４における凝縮器を、冷媒往管２４上流側の第１凝縮器２５と同下流側の第２凝縮器２６で構成し、第１凝縮器２５において蒸気又は温水を生成し、第２凝縮器２６において温水を生成し、前記蒸発器３０は、冷却塔１２を備え、外部の凍結庫６用のコンデンシングユニット１においてこれらコンデンシングユニット１と冷却塔１２との間を循環する冷却水回路から、コンデンシングユニット１における凝縮排熱により加熱された冷却水を導入する冷却水送出管１０及び冷却水送出枝管１５と、排熱を回収した後の冷却水を前記冷却水回路に送る冷却水供給枝管１６及び冷却水供給管１３とを備え、前記冷却水送出管１０及び冷却水送出枝管１５並びに冷却水供給枝管１６及び冷却水供給管１３は、それぞれ前記冷却水回路との分岐部に連動する第１、第２の三方切替弁からなる切替機構２０を備え、これらの切替機構２０は、外部の凍結庫６用のコンデンシングユニット１の冷却負荷、冷媒回路の運転状況に応じて、外部の凍結庫６用のコンデンシングユニット１からの冷却水を前記冷却塔１２と蒸発器３０のいずれか一方または両方に流通せしめるよう制御されるように構成し、かつ前記冷媒回路は、冷媒にＲ２４５ｆａを使用してなるヒートポンプ式蒸気・温水発生装置。」
　
（３）対比
　本願発明と引用発明１とを比較する。
　引用発明１の「低元側圧縮機４３」は、本願発明の「低元側圧縮機」に相当し、以下同様に、「冷媒流路４２」は「冷媒管」に、「カスケードコンデンサ３５の凝縮部３５ｂ」は「カスケードコンデンサの１次側」に、「膨張弁４４」は「膨張弁」に、「蒸発器４５」は「排熱回収熱交換器」に、「低元側第３冷凍サイクル４１」は「低元側冷媒回路」に、「高元側圧縮機２３」は「高元側圧縮機」に、「冷媒流路２２」は「冷媒管」に、「凝縮器２４」は「熱交換器」に、「膨張弁２５」は「膨張弁」に、「カスケードコンデンサ２６の蒸発部２６ａ」は「カスケードコンデンサの２次側」に、「高元側第１冷凍サイクル」は「高元側冷媒回路」に、「高温水ｈ」は「温水」に、「冷却負荷ライン４６の導入管」は「排熱導入管」に、「冷却負荷ライン４６の戻し管」は「戻し管」に、それぞれ相当する。
　また、引用発明１の「冷却負荷」と本願発明の「冷凍装置」とは、「冷却負荷」の点で共通する。
　また、引用発明１の「被冷却流体ｒ」と本願発明の「冷却水」とは、「冷却流体」である点で共通する。
　また、引用発明１の「多元ヒートポンプ式温水発生装置」と本願発明の「多元ヒートポンプ式蒸気・温水発生装置」とは、少なくとも温水を発生する「多元ヒートポンプ式温水発生装置」の点で共通する。
　したがって、両者は、
「低元側圧縮機の吐出側に一端が接続された冷媒管の他端が、カスケードコンデンサの１次側、膨張弁、排熱回収熱交換器を介して低元側圧縮機の吸入側に接続された低元側冷媒回路と、高元側圧縮機の吐出側に一端が接続された冷媒管の他端が、熱交換器、膨張弁、カスケードコンデンサの２次側を介して高元側圧縮機の吸入側に接続された高元側冷媒回路とを備え、前記高元側冷媒回路における熱交換器において高元側冷媒回路を循環する冷媒の熱によって外部から供給される水を加熱することにより温水を生成し、前記排熱回収熱交換器は、外部の冷却負荷により加熱された冷却流体を導入する排熱導入管と、排熱を回収した後の冷却流体を前記冷却負荷に送る戻し管とを備え、かつ前記低元側冷媒回路は、冷媒に自然冷媒を使用してなる多元ヒートポンプ式温水発生装置。」の点で一致し、以下の点で相違している。
　
［相違点１］
　本願発明では、低元側冷媒回路と高元側冷媒回路の２元であるのに対し、引用発明１は、低元側冷媒回路と高元側冷媒回路の中間に冷媒回路（第２冷凍サイクル３１）がある点。
　
［相違点２］
　本願発明では「高元側冷媒回路における熱交換器において高元側冷媒回路を循環する冷媒の熱によって外部から供給される水を加熱することにより、蒸気、温水のいずれか一方、または両方を同時に生成し、前記高元側冷媒回路における熱交換器を、冷媒回路上流側の第一熱交換器と同下流側の第二熱交換器で構成し、第一熱交換器において蒸気を生成し、第二熱交換器において温水を生成」するのに対し、引用発明１では、「高元側冷媒回路における熱交換器において高元側冷媒回路を循環する冷媒の熱によって外部から供給される水を加熱することにより温水を生成」するものの、前記高元側冷媒回路における熱交換器を、冷媒回路上流側の第一熱交換器と同下流側の第二熱交換器で構成し、第一熱交換器において蒸気を生成し、第二熱交換器において温水を生成」する構成はない点。
　
［相違点３］
　本願発明では、「前記排熱回収熱交換器は、冷却塔を備える外部の冷凍装置においてこれら冷凍装置と冷却塔との間を循環する冷却水回路から、上記冷凍装置における凝縮熱により加熱された冷却水を導入する排熱導入管と、排熱を回収した後の冷却水を前記冷却水回路に送る戻し管とを備え、前記排熱導入管と戻し管は、それぞれ前記冷却水回路との接続部に連動する第１、第２の切替手段を備え、これらの切替手段は、外部の冷凍装置、低元冷媒回路、高元冷媒回路の運転状況に応じて、外部の冷凍装置からの冷却水を前記冷却塔と排熱回収熱交換器のいずれか一方または両方に流通せしめるよう制御されるように構成し」たのに対し、引用発明１では、この点は不明である点。
　
［相違点４］
　本願発明では、「前記高元側冷媒回路は、冷媒に臨界温度が１３０℃以上のものを使用」したのに対し、引用発明１では、「前記高元側冷媒回路は、冷媒に臨界温度が１３０℃以上のものを使用」したものではない点。
　
４．当審の判断
　上記相違点について検討する。
［相違点１］について
　本願の明細書の段落【００４４】にも「本実施例においては、カスケードコンデンサ５により接続した低元側冷媒回路３と高元側冷媒回路４の２元のもので構成してあるが、これらの冷媒回路の間にさらに１つあるいはそれ以上の数の冷媒回路を介在せしめて、３元以上の多元のものとする場合もある。」と記載されているように、多元冷凍サイクルを２元とするか３元とするかは当業者が適宜選択する設計的事項であり、引用発明１において、２元とすることは当業者が容易になし得たことである。
　
［相違点２］について
　本願発明と引用発明２とを比較する。
　引用発明２の「高圧の冷媒往管２４」は、本願発明の「高元側冷媒回路」に相当し、以下同様に、「第１凝縮器２５」は「第一熱交換器」に、「第２凝縮器２６」は「第二熱交換器」に、それぞれ相当する。
　してみると、引用発明２は「高元側冷媒回路における熱交換器において高元側冷媒回路を循環する冷媒の熱によって外部から供給される水を加熱することにより、蒸気、温水のいずれか一方、または両方を同時に生成し、前記高元側冷媒回路における熱交換器を、冷媒回路上流側の第一熱交換器と同下流側の第二熱交換器で構成し、第一熱交換器において蒸気を生成し、第二熱交換器において温水を生成するヒートポンプ式蒸気・温水発生装置」といえる。
　したがって、引用発明１と引用発明２は何れもヒートポンプ式温水等発生装置という同一の技術分野に属するから、引用発明１において、温水だけでなく蒸気も発生させるために、引用発明２に倣い相違点２に係る構成とすることは、当業者が容易になし得たことである。
　
［相違点３］について
　本願発明と引用発明２とを比較する。
　引用発明２の「蒸発器３０」は、本願発明の「排熱回収熱交換器」に相当し、以下同様に、「冷却塔１２」は「冷却塔」に、「外部の凍結庫６用のコンデンシングユニット１」は「外部の冷凍装置」に、「凝縮排熱」は「凝縮熱」に、「冷却水送出管１０及び冷却水送出枝管１５」は「排熱導入管」に、「冷却水供給枝管１６及び冷却水供給管１３」は「戻し管」に、「分岐部」は「接続部」に、「第１、第２の三方切替弁からなる切替機構２０」は「第１、第２の切替手段」に、「凝縮器２４」は「熱交換器」に、「膨張弁２５」は「膨張弁」に、「カスケードコンデンサ２６の蒸発部２６ａ」は「カスケードコンデンサの２次側」に、「高元側第１冷凍サイクル」は「高元側冷媒回路」に、「高温水ｈ」は「温水」に、「冷却負荷ライン４６の導入管」は「排熱導入管」に、「冷却負荷ライン４６の戻し管」は「戻し管」に、それぞれ相当する。
　また、引用発明１の「外部の凍結庫６用のコンデンシングユニット１の冷却負荷、冷媒回路の運転状況」と本願発明の「外部の冷凍装置の冷却負荷、低元冷媒回路、高元冷媒回路の運転状況」とは、「外部の冷却負荷、冷媒回路の運転状況」の点で共通する。
　してみると、引用発明２は「前記排熱回収熱交換器は、冷却塔を備える外部の冷凍装置においてこれら冷凍装置と冷却塔との間を循環する冷却水回路から、上記冷凍装置における凝縮熱により加熱された冷却水を導入する排熱導入管と、排熱を回収した後の冷却水を前記冷却水回路に送る戻し管とを備え、前記排熱導入管と戻し管は、それぞれ前記冷却水回路との接続部に連動する第１、第２の切替手段を備え、これらの切替手段は、外部の冷凍装置、冷媒回路の運転状況に応じて、外部の冷凍装置からの冷却水を前記冷却塔と排熱回収熱交換器のいずれか一方または両方に流通せしめるよう制御されるように構成したヒートポンプ式蒸気・温水発生装置」といえる。
　したがって、引用発明１と引用発明２は何れもヒートポンプ式温水等発生装置という同一の技術分野に属するから、引用発明１に引用発明２を適用して相違点３に係る構成とすることは、当業者が容易に想到し得たものである。
　なお、引用発明２を引用発明１に適用するに際し、冷媒回路の運転状況は引用発明１の低元冷媒回路、高元冷媒回路の運転状況とすることは自明のことである。
　
［相違点４］について
　多元冷却システムの低元側及び高元側に使用する冷媒の種類については、格別限定されるものでなく、本願出願前当業者に知られた各種の冷媒の中から所望の冷媒を選択することができるものである。〔例えば、特開昭６２−２６８９６０号公報（第４図、１頁右下欄１５行〜３頁左上欄６行）、特開２００６−７１１２９号公報を参照。〕
　そして、引用発明２は蒸気・温水の加熱等に使用する冷却システムにＲ２４５ｆａ（「臨界温度が１３０℃以上」の冷媒の一つ）を使用するものであり、引用発明２に倣い引用発明１の「高元側冷媒回路」に使用する冷媒として「Ｒ２４５ｆａ」を使用することは、当業者であれば必要に応じて容易に想到することができる程度の事項であって、格別創意を要することではない。
　
　そして、本願発明の作用効果も、引用発明１及び引用発明２から当業者が予測できる範囲のものである。
　したがって、本願発明は、引用発明１及び引用発明２に基づいて当業者が容易に発明をすることができたものである。
　
４．むすび
　以上のとおり、本願発明は、引用発明１及び引用発明２に基づいて当業者が容易に発明をすることができたものであるから、特許法第２９条第２項の規定により特許を受けることができない。
　そうすると、他の請求項に係る発明について検討するまでもなく、本願は、拒絶すべきものである。
　よって、結論のとおり審決する。